(57)【要約】【課題】ルームランプハウジングとルームランプカバーとのがたつきを防止することができるルームランプカバーおよびルームランプハウジングを提供すること。【解決手段】ルームランプハウジング１０の対向するハウジング側壁面１３にそれぞれ対向する収納部２１の収納部側壁面２１ａにルームランプハウジング１０の収納方向に向かってハウジング側壁面１３側に傾斜する弾性部材２２を形成し、この弾性部材２２がハウジング側壁面１３と面接触することで、弾性係合部（弾性係合部材１４、ハウジング側係合突起部１５，１５、カバー側係合突起部２３）が規制する方向（前後方向）と直交する方向（左右方向）の移動を規制する。【選択図】      図６
2005001553.tif 000002
【特許請求の範囲】
【請求項１】
車両の室内天井に取り付けられ、且つ収納部に少なくとも光源を配置する灯室を有するルームランプハウジングを収納するルームランプカバーにおいて、
前記ルームランプカバーと前記ルームランプハウジングとの間に弾性係合部が設けられ、前記弾性係合部が前記ルームランプカバーと前記ルームランプハウジングとを係合し、且つ前記ルームランプハウジングの前記ルームランプカバーに対する前後方向あるいは左右方向のいずれか一方の移動を規制し、
前記ルームランプハウジングの対向するハウジング側壁面にそれぞれ対向する前記収納部の収納部側壁面に前記ルームランプハウジングの収納方向に向かって前記ハウジング側壁面側に傾斜する弾性部材が形成され、前記弾性部材が前記ハウジング側壁面と面接触し、前記弾性係合部が規制する方向と直交する方向の移動を規制することを特徴とするルームランプカバー。
【請求項２】
前記ハウジング側壁面は、前記ルームランプハウジングの収納方向に向かって前記収納部側壁面側と反対側に傾斜し、
前記弾性部材は、前記ハウジング側壁面より前記収納部側壁面側と反対側に傾斜していることを特徴とする請求項１に記載のルームランプカバー。
【請求項３】
車両の室内天井に取り付けられるルームランプカバーの収納部に収納される少なくとも光源を配置する灯室を有するルームランプハウジングにおいて、
前記ルームランプハウジングと前記ルームランプカバーとの間に弾性係合部が設けられ、前記弾性係合部が前記ルームランプハウジングと前記ルームランプカバーとを係合し、且つ前記ルームランプハウジングの前記ルームランプカバーに対する前後方向あるいは左右方向のいずれか一方の移動を規制し、
前記収納部の対向する収納部側壁面にそれぞれ対向する前記ルームランプハウジングのハウジング側壁面に前記ルームランプハウジングの収納方向と反対方向に向かって前記収納部側壁面側に傾斜する弾性部材が形成され、前記弾性部材が前記収納部側壁面と面接触することを特徴とするルームランプハウジング。
【請求項４】
前記収納部側壁面は、前記ルームランプハウジングの収納方向と反対方向に向かって前記ハウジング側壁面側と反対側に傾斜し、
前記弾性部材は、前記収納部側壁面より前記ハウジング側壁面側と反対側に傾斜していることを特徴とする請求項３に記載のルームランプハウジング。
【発明の詳細な説明】
【０００１】
【発明の属する技術分野】
この発明は、車両の室内を照らす車両用ルームランプのルームランプハウジングとルームランプカバーに関し、更に詳しくは、ルームランプハウジングとルームランプカバーとのがたつきを防止することができるルームランプカバー、ルームランプハウジングに関する。
【０００２】
【従来の技術】
従来、乗用車、トラックなどの車両の室内天井には、この車両の室内を照らす車両用ルームランプが取り付けられている。この車両用ルームランプは、車両の室内天井に予め取り付けられるルームランプカバーと、光源であるバルブやＬＥＤを配置する灯室を有するルームランプハウジングとにより構成されている。このルームランプハウジングは、ルームランプカバーに形成された収納部に収納されるものである。ここで、車両用ルームランプにおいては、収納部に収納されたルームランプハウジングがルームランプカバーから脱落することを防止する技術が提案されている。
【０００３】
例えば、特許文献１では、ルームランプハウジングがルームランプカバーから脱落することを防止するために、スプリングリテーナが用いられている。このスプリングリテーナは、弾性を有する金属板から構成されており、ルームランプハウジング（ランプハウジング）にインサート成形により一体に設けられている。ルームランプハウジングがルームランプカバー（室内天井である天井トリム）の収納部（凹部）に収納された際に、スプリングリテーナは、ルームランプカバーの上面開口部からルームラップカバーの上面に突出し、このスプリングリテーナの爪部とこのルームランプカバーの上面に位置する天井骨組みの固定部とが弾性係合する。これにより、ルームランプハウジングがルームランプカバーから脱落することを防止する。
【０００４】
上記従来の車両用ルームランプは、一度ルームランプハウジングをルームランプカバーの収納部に収納すると、再度ルームランプハウジングをルームランプカバーから外すことができない。しかしながら、ルームランプハウジングの下面には、レンズが着脱可能に取り付けらており、このレンズを取り外すことで交換の必要がある光源の交換が可能である。
【０００５】
【特許文献１】
特開２００１−２６０７４７号公報
【０００６】
【発明が解決しようとする課題】
ところで、車両用ルームランプには、ルームランプハウジングがルームランプカバーの収納部から着脱可能に構成されているものがある。この種の車両用ルームランプでは、収納されたルームランプハウジングの脱落を防止するために、ルームランプハウジングとルームランプカバーとの間に弾性係合部が備えられている。通常、弾性係合部は、このルームランプハウジングをルームランプカバーの収納部から容易に取り外すために、ルームランプハウジングおよびルームランプカバーの前後方向あるいは左右方向に対向して設けられている。また、弾性係合部は、収納されたルームランプハウジングがルームランプカバーに対してこの弾性係合部が設けられている方向の移動を規制することができる。
【０００７】
一方、弾性係合部が規制する方向と直交する方向には、規制部が備えられている。従来、この規制部は、ルームランプカバーの収納部の弾性係合部が備えられている方向と直交する方向の対向する収納部側壁面と、この収納部側壁面と対向する収納されたルームランプハウジングのハウジング側壁面に設けられた当てリブにより構成されていた。この当てリブは、ルームランプハウジングのハウジング側壁面からルームランプカバーの収納部側壁面側に突設されており、先端部がルームランプカバーの収納部側壁面に当接する。この規制部は、収納されたルームランプハウジングがルームランプカバーに対して弾性係合部が規制する方向と直交する方向の移動を規制することができる。
【０００８】
しかしながら、ルームランプハウジングおよびルームランプカバーは、通常合成樹脂材を成形することで構成されている。従って、車両の室内の室温により、熱変形を起こすものである。例えば車両用ルームランプの組立時に、収納されたルームランプハウジングの当てリブとルームランプカバーの収納部側壁面とが当接していても、組立時の温度よりも車両の室内の室温が低下するとルームランプハウジングあるいはルームランプカバーのいずれかが熱変形を起こし、つまり収縮し、この当てリブとルームランプカバーの収納部側壁面との間に隙間が生じる。これにより、規制部は、ルームランプハウジングがルームランプカバーに対して弾性係合部が規制する方向と直交する方向の移動を規制することができず、がたつきが発生するおそれがあった。
【０００９】
また、ルームランプハウジングおよびルームランプカバーは合成樹脂材を成形したものであるため、個々のルームランプハウジングおよびルームランプカバーにはバラツキがある。従って、車両用ルームランプの組立時に、収納されたルームランプハウジングの当てリブがルームランプカバーの収納部側壁面に当接するようにこの当てリブを調整する必要があった。つまり、ルームランプハウジングおよびルームランプカバーのばらつきを吸収するため当てリブを調整する必要があった。これにより、車両用ルームランプの組立時間が増加するという問題があった。
【００１０】
そこで、この発明は、上記に鑑みてなされたものであって、少なくともルームランプハウジングとルームランプカバーとのがたつきを防止することができるルームランプカバーおよびルームランプハウジングを提供することを目的とする。
【００１１】
【課題を解決するための手段】
上記目的を達成するために、この発明では、車両の室内天井に取り付けられ、且つ収納部に少なくとも光源を配置する灯室を有するルームランプハウジングを収納するルームランプカバーにおいて、ルームランプカバーとルームランプハウジングとの間に弾性係合部が設けられ、弾性係合部がルームランプカバーとルームランプハウジングとを係合し、且つルームランプハウジングのルームランプカバーに対する前後方向あるいは左右方向のいずれか一方の移動を規制し、ルームランプハウジングの対向するハウジング側壁面にそれぞれ対向する収納部の収納部側壁面にルームランプハウジングの収納方向に向かってハウジング側壁面側に傾斜する弾性部材が形成され、弾性部材がハウジング側壁面と面接触し、弾性係合部が規制する方向と直交する方向の移動を規制することを特徴とする。
【００１２】
また、この発明では、車両の室内天井に取り付けられるルームランプカバーの収納部に収納される少なくとも光源を配置する灯室を有するルームランプハウジングにおいて、ルームランプハウジングとルームランプカバーとの間に弾性係合部が設けられ、弾性係合部がルームランプハウジングとルームランプカバーとを係合し、且つルームランプハウジングのルームランプカバーに対する前後方向あるいは左右方向のいずれか一方の移動を規制し、収納部の対向する収納部側壁面にそれぞれ対向するルームランプハウジングのハウジング側壁面にルームランプハウジングの収納方向と反対方向に向かって収納部側壁面側に傾斜する弾性部材が形成され、弾性部材が収納部側壁面と面接触することを特徴とする。
【００１３】
これらの発明によれば、ルームランプカバーの収納部にルームランプハウジングが収納される際に、ハウジング側壁面に収納部側壁面に形成された弾性部材が付勢された状態、あるいは収納部側壁面にハウジング側壁面に形成された弾性部材が付勢された状態で面接触する。従って、ルームランプハウジングあるいはルームランプカバーのいずれかが熱変形を起こし、このルームランプハウジングとルームランプカバーとの間に隙間が生じても、この隙間分を弾性部材が吸収することができる。これにより、弾性部材は、常にルームランプハウジングのハウジング側壁面あるいはルームランプカバーの収納部の収納側壁面に面接触しているので、ルームランプハウジングとルームランプカバーとのがたつきを防止することができる。また、個々のルームランプハウジングおよびルームランプカバーのばらつきを弾性部材が吸収することができる。これにより、従来のように、個々のルームランプハウジングおよびルームランプカバーのばらつきによる調整を必要とせず、車両用ルームランプの組立時間が増加を防止することができる。
【００１４】
また、この発明では、請求項１に記載のルームランプカバーにおいて、ハウジング側壁面は、ルームランプハウジングの収納方向に向かって収納部側壁面側と反対側に傾斜し、弾性部材は、ハウジング側壁面より収納部側壁面側と反対側に傾斜していることを特徴とする。
【００１５】
また、この発明では、請求項３に記載のルームランプハウジングにおいて、収納部側壁面は、ルームランプハウジングの収納方向と反対方向に向かってハウジング側壁面側と反対側に傾斜し、弾性部材は、収納部側壁面よりハウジング側壁面側と反対側に傾斜していることを特徴とする。
【００１６】
これらの発明によれば、ルームランプハウジングをルームランプカバーの収納部に収納する際に、弾性部材にハウジング側壁面あるいは収納部側壁面の先端部が当接した後、弾性部材とハウジング側壁面あるいは収納部側壁面とが面接触する。つまり、ルームランプハウジングがルームランプカバーの収納部に対して収納方向に移動する際に、弾性部材のハウジング側壁面あるいは収納部側壁面に対する付勢力が徐々に大きくなる。従って、ルームランプハウジングをルームランプカバーの収納部に対して収納し始める際には収納方向に大きな力を必要とせず、収納し終わる際、すなわち弾性係合部によりルームランプハウジングとルームランプカバーとを係合する際には収納方向に大きな力を必要とする。これにより、上記車両用ルームランプの作用効果に加え、ルームランプハウジングをルームランプカバーの収納部に収納する際に大きな力を必要とせず位置決めを容易に行うことができる。
【００１７】
【発明の実施の形態】
以下、この発明につき図面を参照しつつ詳細に説明する。なお、この実施の形態によりこの発明が限定されるものではない。また、下記実施の形態における構成要素には、当業者が容易に想定できるもの或いは実質的に同一のものが含まれる。
【００１８】
〔第１実施形態〕
第１の実施形態にかかる車両用ルームランプは、少なくともルームランプハウジング１０と、ルームランプカバー２０と、ランプカバー３０と、バルブやＬＥＤなどの光源４０とにより構成されている。図１および図２は、第１の実施形態にかかるルームランプハウジングの構成例を示す図である。図１（ａ）は平面図、図１（ｂ）は正面図、図１（ｃ）は同図（ｂ）のＥ部分拡大斜視図、図２（ａ）は図１（ａ）のＢ−Ｂ断面図、図２（ｂ）は図１（ａ）のＣ−Ｃ断面図、図２（ｃ）は図１（ａ）のＤ−Ｄ断面図、図２（ｄ）は同図（ａ）のＦ部分拡大図である。図３は、第１の実施形態にかかるルームランプカバーの構成例を示す図であり、同図（ａ）は平面図、同図（ｂ）は同図（ａ）のＧ−Ｇ断面図、同図（ｃ）は同図（ａ）のＨ−Ｈ断面図、同図（ｄ）は同図（ｂ）のＩ部分拡大図である。なお、Ａは、ルームランプハウジング１０を後述するハウジングカバー２０の収納部２１に収納する際の収納方向を示すものである。
【００１９】
ルームランプハウジング１０は、図１および図２に示すように、長方形状の合成樹脂材からなり、ハウジング本体１１と後述する光源４０を配置する２つの灯室１２，１２とにより構成されている。ハウジング本体１１は、図２（ａ）に示すように、中空部１１ａを有し、この中空部１１ａに灯室１２，１２に配置された光源４０などに電源を供給するための配線やコネクタが収納される。２つの灯室１２，１２は、ハウジング本体１１を挟むように設けられており、ハウジング側壁面１３，１３により形成されている。
【００２０】
このハウジング側壁面１３，１３は、ハウジング本体１１を挟むように対向しており、その両端部がハウジング本体１１まで延在し、このハウジング本体１１と一体に形成されている。また、ハウジング側壁面１３，１３は、図２（ｄ）に示すように、ルームランプハウジング１０の収納方向Ａに対して所定角度θ１だけハウジング本体１１側に傾斜している。つまり、ハウジング側壁面１３，１３は、ルームランプハウジング１０の収納方向Ａに向かって、後述するこのハウジング側壁面１３，１３と対向するルームランプカバー２０の収納部２１の収納部側壁面２１ａ側と反対側に傾斜している。なお、ハウジング側壁面１３，１３は、ルームランプハウジング１０の収納方向Ａと同一、つまり傾斜させなくても良い。
【００２１】
また、このハウジング側壁面１３，１３のハウジング本体１１まで延在する部分の所定個所には、ランス形状の弾性係合部材１４が形成されている（図１（ａ）では、４個）。この弾性係合部材１４は、上記ハウジング側壁面１３，１３のハウジング本体１１まで延在する部分に形成された切欠部１３ａにルームランプハウジング１０の収納方向Ａと反対方向に突設されている。また、この弾性係合部材１４は、図２（ｂ）に示すように、その膨張部１４ａが後述する対向するルームランプカバー２０の収納部２１の収納部壁面２１ｂ側に形成されている。
【００２２】
各切欠部１３ａの両側面には、弾性係合部材１４を挟むようにハウジング側係合突起部１５，１５が形成されている。このハウジング側係合突起部１５，１５は、図２（ｃ）に示すように、弾性係合部材１４の膨張部１４ａと同様に対向するルームランプカバー２０の収納部２１の収納部壁面２１ｂ側に形成されている。なお、このハウジング側係合突起部１５，１５は、弾性係合部材１４の膨張部１４ａよりもルームランプハウジング１０の収納方向Ａ側と反対側となるように位置している。つまり、図２（ｂ）に示すように、ルームランプハウジング１０の短手方向の断面において、弾性係合部材１４の膨張部１４ａとハウジング側係合突起部１５，１５との間に隙間が形成されている。
【００２３】
ルームランプカバー２０は、図３に示すように、長方形状の合成樹脂材からなり、その中央部にルームランプハウジング１０を収納する収納部２１が形成されている。このルームランプカバー２０は、予め図示しない車両の室内天井に取り付けられている。収納部２１の対向する一方の収納部側壁面２１ａ、２１ａの所定個所には、図３（ａ）および（ｂ）に示すように、弾性部材２２が形成されている（図３（ａ）では、４個）。また、収納部の対向する他方の収納部側壁面２１ｂ，２１ｂの所定個所には、図３（ａ）および（ｃ）に示すように、カバー側係合突起部２３が形成されている（図３（ａ）では、４個）。なお、弾性係合部は、上記ルームランプハウジング１０の弾性係合部材１４と、ハウジング側係合突起部１５，１５と、ルームランプカバー２０のカバー側係合突起部２３とにより構成されている。
【００２４】
弾性部材２２は、図３（ｄ）に示すように、傾斜部２２ａと、接続部２２ｂとにより構成されている。傾斜部２２ａは、接続部２２ｂからルームランプハウジング１０の収納方向Ａに向かって収納部側壁面２１ａと一体に形成されている。また、この傾斜部２２ａは、接続部２２ｂからルームランプハウジング１０の収納方向Ａに対して所定角度θ２だけ収納部側壁面２１ａと反対側に傾斜している。つまり、傾斜部２２ａを有する弾性部材２２は、ルームランプハウジング１０の収納方向Ａに向かって上記ハウジング側壁面１３ａ側に傾斜している。ここで、ハウジング側壁面１３がハウジング本体１１側に傾斜している所定角度θ１と、傾斜部２２ａを有する弾性部材２２が収納部側壁面２１ａ側と反対側に傾斜している所定角度θ２とは、θ１＜θ２である。すなわち、傾斜部２２ａを有する弾性部材２２は、ハウジング側壁面１３より、ルームランプハウジング１０の収納方向Ａに向かって収納部側壁面２１ａ側と反対側に傾斜している。なお、規制部は、上記ルームランプハウジング１０のハウジング側壁面１３と、ルームランプカバー２０の収納部側壁面２１ａに形成された弾性部材２２とにより構成されている。
【００２５】
次に、第１の実施形態にかかる車両用ランプの組み立てについて説明する。図４は、規制部の動作説明図である。図５は、弾性係合部の動作説明図である。図６は、第１の実施形態にかかる車両用ルームランプの組み立て完成図であり、同図（ａ）は車両用ルームランプの長手方向断面図、同図（ｂ）は車両用ルームランプの短手方向断面図である。まず、図３に示すルームランプカバー２０の収納部２１に対して、図１および図２に示すルームランプハウジング１０を収納方向Ａに向かって移動させる。このとき、図４（ａ）に示すように、ルームランプハウジング１０のハウジング側壁面１３の先端部１３ｂが、ルームランプカバー２０の弾性部材２２の傾斜部２２ａに当接する。つまり、ルームランプハウジング１０の対向するハウジング側壁面１３，１３の先端部１３ｂが、このハウジング側壁面１３，１３のそれぞれに対向する弾性部材２２の傾斜部２２ａに当接する。従って、ルームランプハウジング１０をルームランプカバー２０の収納部２１に収納する際の収納し始めに大きな力を必要とせず、ルームランプカバー２０の収納部２１に対するルームランプハウジング１０の位置決めを容易に行うことができる。
【００２６】
さらに、ルームランプハウジング１０を収納方向Ａに移動させると、同図（ａ）に示すように、弾性部材２２の傾斜部２２ａが収納部側壁面２１ａ側、すなわち矢印Ｊ方向に弾性変形するとともに、ハウジング側壁面１３に付勢力を与える。さらに、ルームランプハウジング１０を収納方向Ａに移動させると、同図（ｂ）に示すように、ハウジング側壁面１３と弾性部材２２の傾斜部２２ａとが面接触する。これにより、弾性部材２２の傾斜部２２ａが収納部側壁面２１ａ側にさらに弾性変形するとともに、ハウジング側壁面１３に付勢力をさらに与える。つまり、弾性部材２２がハウジング側壁面１３に与える付勢力が徐々に大きくなる。
【００２７】
一方、弾性部材の傾斜部２２ａがハウジング側壁面１３に面接触した状態において、ルームランプハウジング１０の弾性係合部材１４は、図５（ａ）に示すように、膨張部１４ａのルームランプハウジング１０の収納方向Ａ側の面がルームランプカバー２０のカバー側係合突起部２３に当接する。さらに、ルームランプハウジング１０を収納方向Ａに移動させると、同図（ａ）に示すように、弾性係合部材１４が収納部側壁面２１ａ側と反対側、すなわち矢印Ｋ方向に弾性変形する。さらに、ルームランプハウジング１０を収納方向Ａに移動させると、同図（ｂ）に示すように、カバー側係合突起部２３が弾性係合部材１４の膨張部１４ａを乗り越える。
【００２８】
弾性係合部材１４の膨張部１４ａを乗り越えたカバー側係合突起部２３は、同図（ｃ）に示すように、この膨張部１４ａのルームランプハウジング１０の収納方向Ａ側と反対側の面と、ハウジング側係合突起部１５，１５とに当接する。つまり、弾性係合部材１４と、ハウジング側係合突起部１５，１５と、カバー側係合突起部２３とにより構成されている弾性係合部により、ルームランプハウジング１０とルームランプカバー２０とは係合される。これにより、ルームランプハウジング１０が、ルームランプカバー２０の収納部２１から脱落することを防止できる。また、弾性係合部の弾性係合部材１４が付勢された状態で、カバー側係合突起部２３に当接するので、ルームランプカバー２０に対してルームランプハウジング１０が短手方向、すなわち前後方向の移動することを規制される。さらに、膨張部１４ａとハウジング側係合突起部１５とは、カバー側係合突起部２３を挟むので、ルームランプハウジング１０が、ルームランプカバー２０に対してこのルームランプハウジング１０の収納方向Ａおよび反対側へ移動することを規制される。つまり、ルームランプハウジング１０のルームランプカバー２０に対する深さ方向の移動が規制される。
【００２９】
上記弾性係合部により、ルームランプハウジング１０とルームランプカバー２０とが係合された状態において、弾性部材２２は、図４（ｃ）に示すように、ハウジング側壁面１３のほぼ中央部まで、面接触しながら移動する。従って、ルームランプカバー２０の収納部２１にルームランプハウジング１０が収納された状態においては、ハウジング側壁面１３に収納部側壁面２１ａに形成された弾性部材２２が付勢された状態で面接触することとなる。これにより、ハウジング側壁面１３と弾性部材２２とにより構成される規制部がルームランプカバー２０に対してルームランプハウジング１０が長手方向、すなわち左右方向の移動することを規制する。
【００３０】
ここで、例えば、ルームランプハウジング１０あるいはルームランプカバー２０のいずれかが熱変形を起こし、このルームランプハウジング１０とルームランプカバー２０との間に隙間が生じても、この隙間分を弾性部材２２が吸収することができる。つまり、上記のようにハウジング側壁面１３と弾性部材２２との間に隙間が生じても、弾性部材２２の傾斜部２２ａが、付勢力により収納部側壁面２１ａ側と反対側、すなわちハウジング側壁面１３側に弾性変形するため面接触を維持することができる。これにより、弾性部材２２は、常にルームランプハウジング１０のハウジング側壁面１３面接触しているので、ルームランプハウジング１０とルームランプカバー２０とのがたつきを防止することができる。また、個々のルームランプハウジング１０およびルームランプカバー２０のばらつきを弾性部材２２が吸収することができる。これにより、従来のように、個々のルームランプハウジング１０およびルームランプカバー２０のばらつきによる調整を必要とせず、車両用ルームランプ１の組立時間が増加を防止することができる。
【００３１】
ルームランプカバー２０の収納部２１にルームランプ１０の収納が終了した後、すなわちルームランプハウジング１０とルームランプカバー２０との係合が終了した後、図６に示すように、ルームランプハウジング１０の灯室１２に光源４０を配置する。次に、光源４０が配置された灯室１２を覆うように透明な合成樹脂材からなるランプカバー３０を固定する。これにより、車両用ルームランプ１の組み立てを完了する。ここで、ランプカバー３０の固定は、スクリューなどの固定手段や、上記弾性係合部などの係合手段により行う。組み立てられた車両用ルームランプ１に、図示しないバッテリなどの電源供給手段から電源を供給し、この車両用ルームランプ１の光源４０を点灯させる。点灯された光源４０は、同図に示すように、光を照射し、照射された光は、ランプカバー３０を透過し、車両の室内を照らす。
【００３２】
〔第２実施形態〕
第２の実施形態にかかる車両用ルームランプは、少なくともルームランプハウジング１０´と、ルームランプカバー２０´と、ランプカバー３０と、バルブやＬＥＤなどの光源４０とにより構成されている。図７は、第２の実施形態にかかるルームランプハウジングの構成例を示す図であり、同図（ａ）は平面図、同図（ｂ）は同図（ａ）のＬ―Ｌ断面図、同図（ｃ）は同図（ｂ）のＭ部分拡大図である。図８は、第２の実施形態にかかるルームランプカバーの構成例を示す図であり、同図（ａ）は平面図、同図（ｂ）は同図（ａ）のＮ−Ｎ断面図、同図（ｃ）は同図（ｂ）のＯ部分拡大図である。ここで、図７（ａ）のＣ−Ｃ断面は図２（ｂ）、Ｄ−Ｄ断面は図２（ｃ）にそれぞれ対応しており、図８（ａ）のＨ−Ｈ断面は図３（ｃ）に対応している。なお、Ａは、ルームランプハウジング１０´をハウジングカバー２０´の収納部２１に収納する際の収納方向を示すものである。
【００３３】
図７に示すルームランプハウジング１０´が、図１および図２に示すルームランプハウジング１０と異なる点は、ハウジング側壁面１３´に弾性部材１６が形成されている点である。なお、ルームランプハウジング１０´の基本的構成は、図１および図２に示すルームランプハウジング１０と略同様であるのでその説明は省略する。
【００３４】
ルームランプハウジング１０´のハウジング本体１１を挟むように対向するハウジング側壁面１３´，１３´の所定個所には、図７（ａ）および（ｂ）に示すように、弾性部材１６が形成されている（図７（ａ）では、４個）。弾性部材１６は、図７（ｃ）に示すように、傾斜部１６ａと、接続部１６ｂとにより構成されている。傾斜部１６ａは、接続部１６ｂより、ルームランプハウジング１０´の収納方向Ａと反対方向に向かってハウジング側壁面１３´と一体に形成されている。また、この傾斜部１６ａは、接続部１６ｂからルームランプハウジング１０´の収納方向Ａに対して所定角度θ３だけハウジング側壁面１３´側と反対側に傾斜している。つまり、傾斜部１６ａを有する弾性部材１６は、ルームランプハウジング１０´の収納方向Ａと反対方向に向かって後述するルームランプカバー２０´の収納部２１の収納部側壁面２１ａ´に傾斜している。
【００３５】
図８に示すルームランプカバー２０´が、図３に示すルームランプカバー２０と異なる点は、収納部２１の収納部側壁面２１ａ´に弾性部材２２が形成されていない点である。なお、ルームランプカバー２０´の基本的構成は、図３に示すルームランプカバー２０と略同様であるのでその説明は省略する。
【００３６】
ルームランプカバー２０´の収納部２１の収納部側壁面２１ａ´，２１ａ´は、図８（ｂ）および（ｃ）に示すように、ルームランプハウジング１０´の収納方向Ａに対して所定角度θ４だけこの収納部側壁面２１ａ´と対向するハウジング側壁面１３´側に傾斜している。つまり、収納部側壁面２１ａ´，２１ａ´は、ルームランプハウジング１０の収納方向Ａと反対方向に向かって、この収納部側壁面２１ａ´，２１ａ´と対向するハウジング側壁面１３´，１３´側と反対側に傾斜している。なお、収納部側壁面２１ａ´，２１ａ´は、ルームランプハウジング１０の収納方向Ａと同一、つまり傾斜させなくても良い。
【００３７】
ここで、傾斜部１６ａを有する弾性部材１６が収納部側壁面２１ａ´側に傾斜している所定角度θ３と、収納部側壁面２１ａ´がハウジング側壁面１３´側に傾斜している所定角度θ４とは、θ３＞θ４である。すなわち、傾斜部１６ａを有する弾性部材１６は、収納部側壁面２１ａ´より、ルームランプハウジング１０の収納方向Ａと反対方向に向かってハウジング側壁面１３´側と反対側に傾斜している。なお、規制部は、上記ルームランプハウジング１０´のハウジング側壁面１３´に形成された弾性部１６と、ルームランプカバー２０の収納部側壁面２１ａ´とにより構成されている。
【００３８】
次に、第２の実施形態にかかる車両用ルームランプの組み立てについて説明する。図９は、第２の実施形態にかかる車両用ルームランプの組み立て完成図であり、同図（ａ）は車両用ルームランプの長手方向断面図、同図（ｂ）は車両用ルームランプの短手方向断面図である。まず、図８に示すルームランプカバー２０´の収納部２１に対して、図７に示すルームランプハウジング１０´を収納方向Ａに向かって移動させる。このとき、ルームランプカバー２０´の収納部側壁面２１ａ´の先端部２１ｃが、ルームランプハウジング１０´の弾性部材１６の傾斜部１６ａに当接し、ルームランプカバー２０´の収納部２１に対するルームランプハウジング１０´の位置決めを容易に行うことができる。
【００３９】
さらに、ルームランプハウジング１０´を収納方向Ａに移動させると、弾性部材１６の傾斜部１６ａと収納部側壁面２１ａ´とが面接触する。さらにルームランプハウジング１０´を収納方向Ａに移動させると、ルームランプハウジング１０´の弾性係合部材１４と、ハウジング側係合突起部１５，１５と、ルームランプカバー２０´のカバー側係合突起部２３とにより構成されている弾性係合部により、ルームランプハウジング１０´とルームランプカバー２０´とは係合される（図９（ｂ）参照）。上述のように、弾性係合部により、ルームランプカバー２０´に対してルームランプハウジング１０´が短手方向、すなわち前後方向の移動することを規制されると共に、ルームランプハウジング１０´のルームランプカバー２０´に対する深さ方向の移動が規制される。
【００４０】
上記弾性係合部により、ルームランプハウジング１０´とルームランプカバー２０´とが係合された状態において、弾性部材１６は、収納部側壁面２１ａ´のほぼ中央部まで、面接触しながら移動する。従って、ルームランプカバー２０´の収納部２１にルームランプハウジング１０´が収納された状態においては、収納部側壁面２１ａ´にハウジング側壁面１３´に形成された弾性部材１６が付勢された状態で面接触することとなる。これにより、収納部側壁面２１ａ´と弾性部材１６とにより構成される規制部がルームランプカバー２０´に対してルームランプハウジング１０´が長手方向、すなわち左右方向の移動することを規制する。また、上述のように、ルームランプハウジング１０あるいはルームランプカバー２０のいずれかが熱変形を起こしても、弾性部材１６は、常にルームランプカバー２０´の収納部側壁面２１ａ´に面接触しているので、ルームランプハウジング１０´とルームランプカバー２０´とのがたつきを防止することができる。また、個々のルームランプハウジング１０´およびルームランプカバー２０´のばらつきを弾性部材１６が吸収することができる。これにより、従来のように、個々のルームランプハウジング１０´およびルームランプカバー２０´のばらつきによる調整を必要とせず、車両用ルームランプ１´の組立時間が増加を防止することができる。
【００４１】
ルームランプカバー２０´の収納部２１にルームランプハウジング１０´の収納が終了した後、すなわちルームランプハウジング１０´とルームランプカバー２０´との係合が終了した後、同図に示すように、ルームランプハウジング１０´の灯室１２に光源４０を配置し、この灯室１２を透明な合成樹脂材からなるランプカバー３０で覆い、固定する。これにより、車両用ルームランプ１´の組み立てを完了する。組み立てられた車両用ルームランプ１´に、図示しないバッテリなどの電源供給手段から電源を供給し、この車両用ルームランプ１´の光源４０を点灯させる。点灯された光源４０は、同図に示すように、光を照射し、照射された光は、ランプカバー３０を透過し、車両の室内を照らす。
【００４２】
なお、上記第１および第２実施形態では、弾性係合部を車両用ルームランプ１，１´の前後方向、規制部を左右方向に設けたが本発明はこれに限定されるものではない。例えば、弾性係合部を車両用ルームランプ１，１´の左右方向、規制部を前後方向に設けても良い。
【００４３】
【発明の効果】
以上説明したように、請求項１および請求項３に記載の発明によれば、ルームランプハウジングあるいはルームランプカバーのいずれかが熱変形を起こし、このルームランプハウジングとルームランプカバーとの間に隙間が生じても、この隙間分を弾性部材が吸収することができる。これにより、弾性部材は、常にルームランプハウジングのハウジング側壁面あるいはルームランプカバーの収納部の収納側壁面に面接触しているので、ルームランプハウジングとルームランプカバーとのがたつきを防止することができる。また、個々のルームランプハウジングおよびルームランプカバーのばらつきを弾性部材が吸収することができる。これにより、従来のように、個々のルームランプハウジングおよびルームランプカバーのばらつきによる調整を必要とせず、車両用ルームランプの組立時間が増加を防止することができる。
【００４４】
また、請求項２および請求項４に記載の発明によれば、ルームランプハウジングをルームランプカバーの収納部に対して収納し始める際には収納方向に大きな力を必要とせず、収納し終わる際、すなわち弾性係合部によりルームランプハウジングとルームランプカバーとを係合する際には収納方向に大きな力を必要とする。これにより、ルームランプハウジングをルームランプカバーの収納部に収納する際の位置決めを容易に行うことができる。
【図面の簡単な説明】
【図１】第１の実施形態にかかるルームランプハウジングの構成例を示す図であり、同図（ａ）は平面図、同図（ｂ）は正面図、同図（ｃ）は同図（ｂ）のＥ部分拡大斜視図である。
【図２】第１の実施形態にかかるルームランプハウジングの構成例を示す図であり、同図（ａ）は図１（ａ）のＢ−Ｂ断面図、同図（ｂ）は図１（ａ）のＣ−断面図、同図（ｃ）は図１（ａ）のＤ−Ｄ断面図、同図（ｄ）は同図（ａ）のＦ部分拡大図である。
【図３】第１の実施形態にかかるルームランプカバーの構成例を示す図であり、同図（ａ）は平面図、同図（ｂ）は同図（ａ）のＧ−Ｇ断面図、同図（ｃ）は同図（ａ）のＨ−Ｈ断面図、同図（ｄ）は同図（ｂ）のＩ部分拡大図である。
【図４】規制部の動作説明図である。
【図５】弾性係合部の動作説明図である。
【図６】第１の実施形態にかかる車両用ルームランプの組み立て完成図であり、同図（ａ）は車両用ルームランプの長手方向断面図、同図（ｂ）は車両用ルームランプの短手方向断面図である。
【図７】第２の実施形態にかかるルームランプハウジングの構成例を示す図であり、同図（ａ）は平面図、同図（ｂ）は同図（ａ）のＬ―Ｌ断面図、同図（ｃ）は同図（ｂ）のＭ部分拡大図である。
【図８】第２の実施形態にかかるルームランプカバーの構成例を示す図であり、同図（ａ）は平面図、同図（ｂ）は同図（ａ）のＮ−Ｎ断面図、同図（ｃ）は同図（ｂ）のＯ部分拡大図である。
【図９】第２の実施形態にかかる車両用ルームランプの組み立て完成図であり、同図（ａ）は車両用ルームランプの長手方向断面図、同図（ｂ）は車両用ルームランプの短手方向断面図である。
【符号の説明】
１，１´    車両用ルームランプ
１０，１０´  ルームランプハウジング
１１        ハウジング本体
１１ａ      中空部
１２        灯室
１３，１３´  ハウジング側壁面
１３ａ      先端部
１４        弾性係合部材
１４ａ      膨張部
１５        ハウジング側係合突起部
１６        弾性部材
１６ａ      傾斜部
１６ｂ      接続部
２０        ルームランプカバー
２１        収納部
２１ａ，２１ａ´  収納部側壁面
２１ｂ      収納部側壁面
２１ｃ      先端部
２２        弾性部材
２２ａ      傾斜部
２２ｂ      接続部
２３        カバー側係合突起部
【図１】
2005001553.tif 000003
【図２】
2005001553.tif 000004
【図３】
2005001553.tif 000005
【図４】
2005001553.tif 000006
【図５】
2005001553.tif 000007
【図６】
2005001553.tif 000008
【図７】
2005001553.tif 000009
【図８】
2005001553.tif 000010
【図９】
2005001553.tif 000011